(57)【要約】【課題】本発明は、非嵌合状態におけるレバー回動による、ハウジング及びレバーの破損防止することができるレバー嵌合式コネクタを提供する。【解決手段】コネクタ１は、雌端子を収容し、かつ、相手方のコネクタ２と嵌合するハウジング６とハウジング６に回転自在に取り付けられたレバー１０とを備えている。両コネクタは非嵌合状態における、レバー回動を規制しているが、この状態で、さらにレバーを嵌合位置に回動させようとした場合、ハウジング６に開き防止ブリッジ１３を備え、かつ、レバー１０に張出部２２を備えることにより、ハウジングが破損することを防止できる。【選択図】図１
2009289648.tif 000002
【特許請求の範囲】
【請求項１】
ハウジングと、
前記ハウジングに回転自在に設けられかつ回転することで相手方のコネクタを前記ハウジングに近付け嵌合させるレバーと、
前記ハウジングに設けられかつ前記相手方のコネクタのカムピンを通すとともに前記相手方のコネクタ側の端部が開口したスリットと、
前記レバーに設けられかつ前記カムピンを通すカム溝と、
前記レバーに設けられかつ前記スリットの内縁に係止して前記レバーの前記ハウジングに対する回転を規制するとともに前記ハウジングに前記相手方のコネクタが挿入されると当該相手方のコネクタの解除突起によって前記スリットの内縁への係止が解除されるレバー係止突起と、
を備えて、前記カムピンが前記スリットと前記カム溝内に進入して、前記解除突起によって前記レバー係止突起の係止が解除されて、前記レバーが待機位置から嵌合位置側へ回動させることで、前記ハウジングが前記相手方のコネクタに嵌合されるレバー嵌合式コネクタにおいて、
前記スリットの前記相手方のコネクタ寄りの端部において、互いの間にスリットを位置付けるハウジングの壁同士を連結した開き防止ブリッジを備えたことを特徴とするレバー嵌合式コネクタ。
【請求項２】
前記レバーに設けられ、かつ当該レバーが前記待機位置に位置付けられると、前記ハウジングと前記相手方のコネクタとが互いに近づく方向に対して直交する方向に沿って前記開き防止ブリッジと並んで、この開き防止ブリッジの端部と接触する張出部を備えたことを特徴とする請求項１記載のレバー嵌合式コネクタ。
【請求項３】
ハウジングと、前記ハウジングに回転自在に設けられたレバーと、を備えたレバー嵌合式コネクタと、
前記レバーが前記ハウジングに対して回転することで前記ハウジングに近付けられて嵌合される相手方のコネクタと、を備えたコネクタユニットにおいて、
前記レバー嵌合式コネクタとして、請求項１又は請求項２記載のレバー嵌合式コネクタを備えたことを特徴とするコネクタユニット。
【発明の詳細な説明】
【技術分野】
【０００１】
本発明は、回転自在に設けられたレバーによって結合及び解除するためのレバー嵌合式コネクタに関する。
【背景技術】
【０００２】
多極の端子を有するコネクタを容易に嵌合させるために、レバーを用いて嵌合操作力を低減させる構成が採用されている（例えば、特許文献１参照）。
【０００３】
このレバー嵌合式コネクタは、ハウジングとハウジングを跨ぐように組み付けられているレバーとが備えられている。レバーはハウジングに対して回動可能に組み付けられており、レバーの回動方向によって、相手方のコネクタを近接または離間する方向に移動させることができる。
【０００４】
上述した、レバー嵌合式コネクタは、ハウジングと、レバーと、ハウジングに設けられ、かつ相手方のコネクタのカムピンを通すとともに、相手方のコネクタ側の端部が開口したスリットと、レバーに設けられかつカムピンを通すカム溝とを備えている。
【０００５】
以上の構成のレバー嵌合式コネクタを、相手方のコネクタに近づけると、カムピンがスリットとカム溝内に進入する。この状態で、レバーが待機位置から嵌合位置側へ回動することで、正規嵌合する。
【０００６】
しかしながら、この種のレバー嵌合式コネクタでは、非嵌合状態では、カムピンがカム溝の入り口に進入せずにその手前の位置に留まり、これに気付かずにレバーを回転させると、両コネクタが、正規嵌合していない状態で製品が出荷するおそれがある。
【０００７】
そのため、レバーにレバー係止突起を備えることにより、スリットの内縁に位置するとともに、ハウジングに対する回転を規制し、ハウジングに相手方のコネクタが挿入されると、当該相手方のコネクタの解除突起が、レバー係止突起を押し上げることによってスリットの内縁への係止が解除されるレバー嵌合式コネクタが考えられている。
【０００８】
上記、レバー嵌合式コネクタにレバー係止突起を備えることにより、相手方のコネクタと、非嵌合状態では、カムピンやカム溝の入り口に進入せず、その手前の位置に留まった状態でレバーを回動することを規制する。
【特許文献１】特開２００１−２８３９８２号公報
【発明の開示】
【発明が解決しようとする課題】
【０００９】
前述した特許文献１などに記載された従来のレバー嵌合式コネクタでは、カムピンがカム溝に正規係合していない状態におけるレバー回動を規制することを目的としているが、組付け作業者が、カムピンがカム溝の入り口に進入せずにレバーが待機位置に留まり、レバー係止突起が、レバーの回転を規制していることを知らずに、さらにレバーを嵌合位置へ回動させようとした場合、ハウジングにスリットを拡げる力が働き、ハウジングの下壁部が破損するという問題点があった。
【００１０】
したがって、本発明の目的は、上記のような問題点に着目し、レバー係止突起がレバーの回転を規制している状態で、無理なレバー回動によるコネクタハウジング及びレバーの破損防止することができるレバー嵌合式コネクタを提供することにある。
【課題を解決するための手段】
【００１１】
請求項１に記載の本発明のレバー嵌合式コネクタは、ハウジングと、
前記ハウジングに回転自在に設けられかつ回転することで相手方のコネクタを前記ハウジングに近付け嵌合させるレバーと、
前記ハウジングに設けられかつ前記相手方のコネクタのカムピンを通すとともに前記相手方のコネクタ側の端部が開口したスリットと、
前記レバーに設けられかつ前記カムピンを通すカム溝と、
前記レバーに設けられかつ前記スリットの内縁に係止して前記レバーの前記ハウジングに対する回転を規制するとともに前記ハウジングに前記相手方のコネクタが挿入されると当該相手方のコネクタの解除突起によって前記スリットの内縁への係止が解除されるレバー係止突起と、
を備えて、前記カムピンが前記スリットと前記カム溝内に進入して、前記解除突起によって前記レバー係止突起の係止が解除されて、前記レバーが待機位置から嵌合位置側へ回動させることで、前記ハウジングが前記相手方のコネクタに嵌合されるレバー嵌合式コネクタにおいて、
前記スリットの前記相手方のコネクタ寄りの端部において、互いの間にスリットを位置付けるハウジングの壁同士を連結した開き防止ブリッジを備えたことを特徴とするレバー嵌合式コネクタ、であることを特徴としている。
【００１２】
請求項２に記載の本発明のレバー嵌合式コネクタは、前記レバーに設けられ、かつ当該レバーが前記待機位置に位置付けられると、前記ハウジングと前記相手方のコネクタとが互いに近づく方向に対して直交する方向に沿って前記開き防止ブリッジと並んで、この開き防止ブリッジの端部と接触する張出部を備えたことを特徴とする請求項１記載のレバー嵌合式コネクタであることを特徴としている。
【００１３】
請求項３に記載の本発明のレバー嵌合式コネクタは、ハウジングと、前記ハウジングに回転自在に設けられたレバーと、を備えたレバー嵌合式コネクタと、
前記レバーが前記ハウジングに対して回転することで前記ハウジングに近付けられて嵌合される相手方のコネクタと、を備えたコネクタユニットにおいて、
前記レバー嵌合式コネクタとして、請求項１又は請求項２記載のレバー嵌合式コネクタを備えたことを特徴とするコネクタユニットであることを特徴としている。
【発明の効果】
【００１４】
以上説明したように請求項１に記載の本発明によれば、開き防止ブリッジを形成することにより、レバー係止突起が、レバー回動を規制していることを知らずに、さらにレバーを嵌合位置へ回動させて、ハウジングにスリットを拡げる方向に力が働いても、ハウジングの下壁部にかかる力を開き防止ブリッジの下壁部が吸収及び分散することができる。したがって、ハウジング及びレバーの破損防止することができる。このため、コネクタ生産時の不具合率をさげることができる。
【００１５】
請求項２に記載の本発明によれば、レバーに設けられ、かつ当該レバーが待機位置に位置付けられると、ハウジングと前記相手方のコネクタとが互いに近づく方向に対して直交する方向に沿って開き防止ブリッジと並んで、この開き防止ブリッジの端部と接触する張出部を備えることにより、開き防止ブリッジを支え、補強することにより、コネクタハウジングの破損防止することができる。このため、コネクタ生産時の不具合率をさげることができる。
【００１６】
請求項３に記載の本発明によれば、開き防止ブリッジを形成することにより、レバー係止突起が、レバー回動を規制していることを知らずに、さらにレバーを嵌合位置へ回動させて、ハウジングにスリットを拡げる力が働いても、ハウジングの下壁部にかかる力を開き防止ブリッジの下壁部が吸収及び分散することができる。したがって、ハウジング及びレバーの破損防止することができる。さらに、レバーに設けられ、かつ当該レバーが待機位置に位置付けられると、ハウジングと前記相手方のコネクタとが互いに近づく方向に対して直交する方向に沿って開き防止ブリッジと並んで、この開き防止ブリッジの端部と接触する張出部を備えることにより、開き防止ブリッジを支え、補強することにより、コネクタハウジングの破損防止することができる。このため、コネクタ生産時の不具合率をさげることができる。
【発明を実施するための最良の形態】
【００１７】
以下、本発明の一実施形態にかかるレバー嵌合式コネクタを、図１を参照して説明する。本発明の一実施形態にかかるコネクタ１は、相手方のコネクタ２と嵌合して、自動車などに配索されるワイヤハーネスを構成する。
【００１８】
相手方のコネクタ２は、図２に示すように、コネクタハウジング３を備えている。コネクタハウジング３は図示しない雄型の端子金具としての雄端子を収容する。雄端子は導電性の板金などからなり、電線と接続される電線接続部と、電気接触部とを一体に備えている。
【００１９】
コネクタハウジング３は、絶縁性の合成樹脂からなり筒状に形成されている。また、コネクタハウジング３には一対のカムピン４と、一対の解除突起５と、が設けられている。一対のカムピン４は、それぞれコネクタハウジング３の外壁から左右両側に突出している。
【００２０】
一対の解除突起５は、コネクタハウジング３の一方の開口部３ａ（図２に示す）寄りの端部の外壁に設けられ、後述するコネクタ１に設けられたレバー係止突起７の係止を解除する。
【００２１】
コネクタ１は、図１に示すように、ハウジング６と、レバー１０と、を備えている。ハウジング６は図示しない雌型の端子金具としての雌端子を収容する。雌端子は、導電性の板金などからなり、図示しない電気接続部と電気接触部とを一体に備えている。
【００２２】
電気接触部は複数のかしめ片を備えている。電機接続部は電線の端末などをかしめ片がかしめて、この電線の芯線と電気的に接続する。電機接触部は、筒状に形成されており、内側に前述した雄端子の電気接触部が侵入することにより、この雄端子と電気的に接続する。
【００２３】
ハウジング６は、ハウジング主体部８と、ハウジング主体部８の外側にフード部９と、が一体となり形成されている。フード部９の左右両側に略コの字状のレバー１０が回動自在に軸支されている。ハウジング主体部８は、絶縁性の合成樹脂からなり、筒状に形成されている。ハウジング主体部８は、端子収容室１２を複数備えている。端子収容室１２は直線上に伸びており、互いに平行に配されている。端子収容室１２は前述した雌端子を収容する。
【００２４】
フード部９には、一対のレバー支持突起１１と、一対のスリット１８と、一対の開き防止ブリッジ１３と、枠状壁１４と、ロックアーム１５と、が形成されている。レバー支持突起１１は、円柱状に形成されかつハウジング６の外壁からこのハウジング６の外方向に左右両側にそれぞれ突出している。レバー支持突起１１は、ハウジング６の両壁部から左右両側に突出して設けられている。レバー支持突起１１は、レバー１０の回転中心をなしている。
【００２５】
スリット１８は、相手方のコネクタ１と嵌合したときに、カムピン４が進入するような位置に形成される。カムピン４とスリット１８はハウジング６の外壁を貫通している。スリット１８は、コネクタハウジング３の一方の開口部３ａ（図２に示す）寄りの縁から矢印Ｋ１に沿って直線状に伸びている。
【００２６】
開き防止ブリッジ１３は、ハウジング６の一方の開口部６ａ（図２に示す）寄りの端部において、互いの間にスリット１８を位置づける両コネクタの壁同士を連結するように設けられている。
【００２７】
枠状壁１４は、フード部９の上壁に略コの字状に突出形成されている。ロックアーム１５は、フード部９の上壁に枠状壁１４と、一部が重なるように備えられており、ロックアーム１５の上壁の壁部１６の上面に設けられた係止突起１７とレバー１０の連結部２０の中央に位置する係止突起２４が係合することにより、ハウジング６とレバー１０は係合可能となっている。
【００２８】
ハウジング６の一方の開口部６ａ（図２に示す）には、前述した相手方のコネクタ２が嵌合する。このとき、ハウジング６と相手方のコネクタ２とは矢印Ｋ１に沿って互いに近づく。矢印Ｋ１は、ハウジング６と相手方のコネクタ２とが嵌合する際に、これらが互いに近づく方向をなしているとともに、これらが互いに嵌合する方向をなしている。
【００２９】
レバー１０は、一対の板部２６と、一対の作用部１９と、連結部２０と、を備えている。板部２６は、平板上に形成されている。板部２６は、一対のカム溝２１と、一対の張出部２２と一対の丸孔２３と、一対のスリット２５を備えている。板部２６の中央には丸孔２３が設けられている。丸孔２３にはレバー支持突起１１が進入（係止）する。
【００３０】
丸孔２３とレバー支持突起１１とはぴったり合う。レバー１０の板部２６は、板部２６がハウジング６の外壁の外側に重ねられかつ丸孔２３内にレバー支持突起１１が進入（係止）することで、これら丸孔２３及びレバー支持突起１１を中心として、ハウジング６に取り付けられる。
【００３１】
一対の作用部１９は、短形状に形成されかつ板部２６からこの板部２６の外周方向に延びている。連結部２０は、一対の作用部１９同士を連結している。また連結部２０の中央には、前述した係止突起１７と係合する係止突起２４が設けられている。
【００３２】
カム溝２１は、板部２６を貫通しており、板部２６の外延に開口している。カム溝２１は、丸孔２３を中心とした周方向に沿っており、前記板部２６の外縁からこの板部２６の中央に向かって伸びている。カム溝２１は、板部２６の外縁から中央に向かうにしたがって、徐々に丸孔２３すなわち回転中心としてのレバー支持突起１１に近づく方向に延びている。また、板部２６の外延に開口したカム溝２１の開口部には、作用部１９の長手方向が前述した矢印Ｋ１に直交した状態で、相手方のコネクタ２のカムピン４が進入可能である。
【００３３】
一対のレバー係止突起７は、板部２６に形成された略コの字状の自撓性を備えたスリット２５を囲う端部に、スリット１８の内縁を係止するように設けられている。
【００３４】
一対の張出部２２は、レバー１０が待機位置に位置付けられると、ハウジング６と相手方のコネクタ２とが互いに近づく方向に対して直交する方向に沿って、開き防止ブリッジ１３と並んで、この開き防止ブリッジ１３の端部と接触して設けられている。
【００３５】
以上説明した構成のコネクタ１をコネクタ２に嵌合させる手順について説明する。前述した構成のコネクタ１を組み立てて、相手方のコネクタ２と嵌合する際には、まず、板部２６をハウジング６の外壁の外側に重ねて、丸孔２３内にレバー支持突起１１を挿入する。このとき、レバー係止突起７は、スリット１８の内縁に位置付けられ、レバー１０の回転を係止しているため、レバー１０の回転は規制されている。
【００３６】
前述した状態では、カムピン４を通すカム溝２１と、スリット１８の入り口は連通している。次に図３に示すように、カムピン４がスリット１８内に進入するとともに、カム溝２１の板部２６の外縁よりの端部内に進入する。
【００３７】
次に、カムピン４がカム溝２１に進入することにより、解除突起５がレバー係止突起７を押し上げることにより、レバー１０の回転規制を解除する。
【００３８】
そして、レバー１０を、レバー支持突起１１を中心として矢印Ｋ２の方向に沿って回転すると、カムピン４がカム溝２１内により進入する。これにより相手方のコネクタ２とハウジング６とが矢印Ｋ１に沿って互いに近づく。そして図３に示すように、レバー１０を後方に傾倒した状態から矢印Ｋ２方向に起立回動させる。
【００３９】
さらに、レバー１０が回転されると、起立位置の手前で、ロックアーム１５が後方に撓み、係止突起１７と係止突起２４が接触し、進入係合しすることにより、レバー１０が枠状壁１４に係止固定される。レバー１０は、図３に示すように矢印Ｋ２方向に起立した状態となる。
【００４０】
すると、板部２６の中央寄りの端部内にカムピン４が位置して、コネクタ１と相手方のコネクタ２とが、正規嵌合し、雄端子の電気接触部が雌端子の電気接触部内に侵入して、雄端子と雌端子が電気的に接続する。
【００４１】
なお、前述した実施形態は本発明の代表的な形態を示したに過ぎず、本発明は、実施形態に限定されるものではない。すなわち、本発明の骨子を逸脱しない範囲で種々変形して実施することができる。
【００４２】
以上説明したように、実施形態のコネクタ１は、開き防止ブリッジ１３を形成することにより、レバー係止突起７が、レバー１０の回動を規制していることを知らずに、さらにレバー１０を嵌合位置へ回動させて、ハウジング６にスリット１８を拡げる力が働いても、ハウジング６の下壁部にかかる力を開き防止ブリッジ１３の下壁部が吸収及び分散することができる。したがって、ハウジング６及びレバー１０の破損防止することができる。このため、コネクタ生産時の不具合率をさげることができる。
【００４３】
また、コネクタ１は、レバー１０に設けられ、かつ当該レバー１０が待機位置に位置付けられると、ハウジング６と前記相手方のコネクタ２とが互いに近づく方向に対して直交する方向に沿って開き防止ブリッジ１３と並んで、この開き防止ブリッジ１３の端部と接触する張出部２２を備えることにより、開き防止ブリッジ１３を支え、補強することにより、ハウジング６の破損防止することができる。このため、コネクタ生産時の不具合率をさげることができる。
【図面の簡単な説明】
【００４４】
【図１】本発明の一実施形態に係るレバー嵌合式コネクタの一形態を示す斜視図である。
【図２】図１に示されたコネクタと相手方のコネクタを初期嵌合させた状態を示す側面図である。
【図３】図２に示されたコネクタと相手方のコネクタを中途嵌合させた状態を示す側面図である。
【図４】図３に示されたコネクタと相手方のコネクタを完全嵌合させた状態を示す側面図である。
【図５】図１に示されたコネクタのレバーを前から見た状態の斜視図である。
【符号の説明】
【００４５】
１  コネクタ
２  相手方のコネクタ
４  カムピン
５  解除突起
６  ハウジング
７  レバー係止突起
１０  レバー
１３  開き防止ブリッジ
１８  スリット
２１  カム溝
２２  張出部
【図１】
2009289648.tif 000003
【図２】
2009289648.tif 000004
【図３】
2009289648.tif 000005
【図４】
2009289648.tif 000006
【図５】
2009289648.tif 000007